(57)【要約】【課題】  清掃作業および清掃の必要時期等の判断が困難な排水ホースの設置構造に着目し、排水ホースの清掃時の視認性を向上させ、不快な臭気を防止する手乾燥装置を提供する。【解決手段】  手乾燥装置において、手乾燥室が凹設されたハウジングと、前記ハウジングの内部に収納され、前記手乾燥室内に空気を供給する機能部と、前記手乾燥室の底面に設けられ、前記手乾燥室内から水を排出する排出口と、前記ハウジングの下方に設けられ、前記排出口から排出された水を貯留する水受けトレイと、前記ハウジングの内部に収納されるとともに、前記排出口より排出された水を上端から流入させて下端から前記水受けトレイへ流出させる管状の排水ホースとを備え、前記ハウジングは、その内部に連通する開口部と、該開口部を開閉自在に覆うカバーとを有し、前記排水ホースは、前記上端から下端にかけて、前記機能部よりも前記開口部寄りに配置されている。【選択図】  図１４
2010253149.tif 000002
【特許請求の範囲】
【請求項１】
使用者の手に空気を吹き付けて乾燥させる手乾燥装置において、
使用者の手が挿入される手乾燥室が凹設されたハウジングと、
前記ハウジングの内部に収納され、前記手乾燥室内に空気を供給する機能部と、
前記手乾燥室の底面に設けられ、前記手乾燥室内から水を排出する排出口と、
前記ハウジングの下方に設けられ、前記排出口から排出された水を貯留する水受けトレイと、
前記ハウジングの内部に収納されるとともに、前記排出口より排出された水を上端から流入させて下端から前記水受けトレイへ流出させる管状の排水ホースとを備え、
前記ハウジングは、その内部に連通する開口部と、該開口部を開閉自在に覆うカバーとを有し、前記排水ホースは、前記上端から下端にかけて、前記機能部よりも前記開口部寄りに配置されていることを特徴とする手乾燥装置。
【請求項２】
前記排水ホースの上端及び下端は、前記ハウジングの前後方向の中心線よりも前面寄りに配置されていることを特徴とする請求項１に記載の手乾燥装置。
【請求項３】
前記カバーと前記排水ホースとを連結する連結部材を備え、前記カバーの開口部の開放とともに、前記排水ホースの上端が前記ハウジングの開口部より引き出されるように構成したことを特徴とする請求項１に記載の手乾燥装置。
【請求項４】
前記排水ホースの上端は、前記ハウジング内部で前記排水口より下方に離間して配置されるとともに拡径していることを特徴とする請求項３に記載の手乾燥装置。
【請求項５】
前記開口部は前記ハウジングの側面に設けられていることを特徴とする請求項１に記載の手乾燥装置。
【請求項６】
前記排水ホースと前記機能部との間に、前記機能部への水浸入を防ぐ壁が設けられていることを特徴とする請求項１に記載の手乾燥装置。
【発明の詳細な説明】
【技術分野】
【０００１】
本発明は、手乾燥装置に関する発明である。 
【背景技術】
【０００２】
近年、手乾燥装置は、凹状の乾燥室に挿入した手に対して甲側と掌側から高圧空気を吹き付けて乾燥させるものが主流となってきている（例えば、特許文献１参照）。
【０００３】
図１４は、特許文献１に記載されている手乾燥装置の断面図である。ハウジング１０１には手乾燥室１０２が凹設され、手乾燥室１０２に手を挿入すると、ノズル１０４ａ、１０４ｂから噴出される高圧空気によって手に付着していた水滴を吹き飛ばすようになっている。吹き飛ばされた水滴は、手乾燥室１０２の壁面を伝って排水口１０５に集まり、排水ホース１０６を経由して、排水ホース１０６の下端部から、ハウジング１０１の下方に設けられた水受けトレイ１０７内に流入し貯留される構成であり、水滴を確実に貯蓄することができるものである。
【先行技術文献】
【特許文献】
【０００４】
【特許文献１】特開２００３−１８０５５３号公報
【発明の概要】
【発明が解決しようとする課題】
【０００５】
しかし、手から吹き飛ばされた水滴には、皮脂などの手から落ちた汚れが含まれており、水滴が接触する部位の清掃を怠ると汚れの堆積や異臭の原因となっている。このため、水滴が付着する可能性のある部位は清掃可能な構造となっていることが求められている。特に排水ホースは、汚れを含んだ水滴が高頻度で通過するため、内面に汚れが付着しやすく、適当な頻度で清掃を行うことが好ましい。
従来の手乾燥装置の排水ホースの清掃方法として、排水口に定期的に水道水を流す方法がガイドされているが、この流水による方法だけでは、排水ホース内面に付着した汚れを完全に除去することは難しい。また専用の掃除ブラシによりホース内部を清掃する方法もガイドされているが、排水ホースはハウジング内部に収まっていることから、汚れを目で確認しながらの清掃は不可能であり、充分に清掃できたか否かを確認することはできなかった。  
【０００６】
本発明は、上記問題を解決するためになされたもので、清掃作業および清掃の必要時期等の判断が困難な排水ホースの設置構造に着目し、排水ホースの清掃時の視認性を向上させ、不快な臭気を防止する手乾燥装置を提供することを目的とする。
【課題を解決するための手段】
【０００７】
上記目的を達成するために請求項１記載の発明は、使用者の手に空気を吹き付けて乾燥させる手乾燥装置において、使用者の手が挿入される手乾燥室が凹設されたハウジングと、前記ハウジングの内部に収納され、前記手乾燥室内に空気を供給する機能部と、前記手乾燥室の底面に設けられ、前記手乾燥室内から水を排出する排出口と、前記ハウジングの下方に設けられ、前記排出口から排出された水を貯留する水受けトレイと、前記ハウジングの内部に収納されるとともに、前記排出口より排出された水を上端から流入させて下端から前記水受けトレイへ流出させる管状の排水ホースとを備え、前記ハウジングは、その内部に連通する開口部と、該開口部を開閉自在に覆うカバーとを有し、前記排水ホースは、前記上端から下端にかけて、前記機能部よりも前記開口部寄りに配置されていることを特徴とする。
【０００８】
本発明によれば、排水ホースを機能部よりも開口部側に配置したことで、カバーを開いて開口部を開放した後、機能部に妨げられる事なく排水ホースをハウジング内部から開口部を介して取り出すことができる。したがって、取り出した排水ホースを流しに運ぶなどして排水ホースの清掃を効果的に行う事が可能になる。また取り出した排水ホースは端部からのぞき見ることができるので、汚れ度合いや清掃の効果を視認可能であり、異臭の原因となる清掃残しの汚れをなくすことができ異臭発生を防止できる。
【０００９】
請求項２記載の手乾燥装置では、前記排水ホースの上端及び下端は、前記ハウジングの前後方向の中心線よりも前面寄りに配置されていることを特徴とする。
【００１０】
本発明によれば、手乾燥装置が側面に充分なスペースのない場所に設置された場合であっても、作業者は前面側から排水ホースの視認および取り出し作業がしやすくなる。
【００１１】
請求項３記載の手乾燥装置では、前記カバーと前記排水ホースとを連結する連結部材を備え、前記カバーの開口部の開放とともに、前記排水ホースの上端が前記ハウジングの開口部より引き出されるように構成したことを特徴とする。
【００１２】
本発明によれば、カバーを開いて開口部を開放させるのと同時に、排水ホースの上端が開口部から引き出されるため、ハウジングの内部からの排水ホースの取り出しをさらに容易なものとすることができる。
【００１３】
請求項４記載の手乾燥装置では、前記排水ホースの上端は、前記ハウジング内部で前記排水口より下方に離間して配置されるとともに拡径していることを特徴とする。
【００１４】
本発明によれば、排水ホースの上端が排水口より下方に離間して配置されているため、開口部の開放とともに排水ホースの上端を開口から引き出す際、排水ホースの上端が排水口に引っ掛かることなく容易に取り出すことが可能となる。また、排水ホースの上端が拡径しているため、手乾燥時に手から吹き飛ばされ、排水口から滴下する水滴を確実に捕捉して排水ホース内へ導くことができる。尚、排水ホース上端の拡径している部位は、必ずしもその他の部位と一体的に形成する必要は無く、例えば漏斗状の別部材を排水ホース上端側に取付けるなどしてもよい。
【００１５】
請求項５記載の発明によれば、前記開口部は前記ハウジングの側面に設けられていることを特徴とする
【００１６】
本発明によれば、該開口部を覆うカバーもハウジングの側面に設けられることから、カバーと開口部の隙間が本体ケース正面側の使用者より視認しづらく、意匠性を損なうことがない。
【００１７】
また、請求項６記載の発明によれば、前記排水ホースと前記機能部との間に、前記機能部への水浸入を防ぐ壁が設けられていることを特徴とする。
【００１８】
従って、排水ホースの着脱時に排水ホース内部の水が機能部へ浸入することがなく、また、開口部を開放している状態でケーシングに水が掛けられたとしての機能部が被水してしまうことがなく、機能部の被水による故障を防止することができる。
【発明の効果】
【００１９】
本発明に関わる手乾燥装置によれば、排水ホースの清掃性を向上させ、不快な臭気発生等を防ぐことができる手乾燥装置を提供することができる。
【図面の簡単な説明】
【００２０】
【図１】手乾燥装置の使用状態を示す斜視図である。
【図２】手乾燥装置の内部構造の概略図である。
【図３】手乾燥装置を側面から見た内部構造の概略図である。
【図４】手乾燥装置の排水ホースとカバーの取り付け状態図である。
【図５】排水口、排水ホース、水受けトレイの配置を示す概略図である。
【図６】実施形態２として排水口、排水ホース、水受けトレイの配置の変形例を示す概略図である。
【図７】実施形態３における手乾燥装置の斜視図である。
【図８】図７における手乾燥装置を正面から見た概略断面図である。
【図９】実施形態４における手乾燥装置の斜視図である。
【図１０】図９における手乾燥装置を正面から見た概略断面図である。
【図１１】実施形態５における手乾燥装置の内部機構の概略構成図である。
【図１２】図１１における手乾燥装置の斜視図である。
【図１３】実施形態６における手乾燥装置の斜視図である。
【図１４】従来の手乾燥装置の断面図である。
【発明を実施するための形態】
【００２１】
以下、本発明の具体的な実施形態について説明する。
図１は本発明に関わる手乾燥装置の使用状態図である。手乾燥装置は、略直方体の手乾燥装置をトイレ空間の壁に取り付け、手洗浄を行ったあとの濡れた手を乾燥させるものである。
【００２２】
手乾燥装置の構成、使用方法ならびに動作について図１〜図３を用いて詳しく説明する。図２は手乾燥装置の内部構造の概略図であり、図３は手乾燥装置を側面から見た内部構造の概略図である。手乾燥装置の本体であるハウジング１には、上部に開口したコの字型に成形された手乾燥室３が設置されており、手乾燥室３は前側面寄りに傾斜している。手乾燥の際、使用者は手乾燥室３に手２を挿入する。手乾燥室３内部に取り付けられたセンサ１２が挿入された手を感知すると、ハウジング１内下部に設けられたコントローラ１３から信号が発信され、ファンモータ４が駆動する。このファンモータ４によって生成された高圧空気流は手の平側ノズル５ａと手の甲側ノズル５ｂから噴射される。手を挿入している間ファンモーター４は駆動し続けるため、使用者は手乾燥室３に挿入した手２を上下に動かすことで手についた水滴を吹き飛ばすことができる。
本発明による手乾燥装置は上記のとおり風により手を乾燥させることができるため、手洗い後にハンカチやペーパータオルを使用する必要はない。
また、両面からの空気流により手を乾燥させることができるため、片面から風が出るタイプの手乾燥装置（図示しない）に比べ高速乾燥が可能となっている。
【００２３】
図３には点線にて空気の流れを示している。
ハウジング１の外表面に設けられた吸気口６から吸い込まれた空気は吸気路７を経由し、モータ室４１に吸気される。なお、吸気口６には埃やゴミが進入しないようにフィルタ８を設けている。モータ室４１の内部にはモータ４が組み込まれており、モータ室４１に吸気されてきた空気を高圧空気流に変換する。ここで発生した高圧空気流は手の甲側と手の平側に分岐している送風路５を経由し、手の平側ノズル５aと手の甲側ノズル５bから噴射される。なお、本実施形態においては、モータ４、排気路５、吸気路７、コントローラ１３が手乾燥室内３内へ空気を供給するための機能部に該当する。
【００２４】
次に手から飛散した水滴の流れについて説明する。高圧空気流によって吹き飛ばされた水滴は手乾燥室３の壁面に付着し、その後重力および高圧空気流によって手乾燥室３の底部へ流れ落ちる。手乾燥室３の底面は水滴が漏れなく排水口９に流入するよう、排水口９に向かって傾斜が設けられている。排水口９は下部に延出する形状でありその大きさは直径20mmほどである。排水口９に集められた水滴は排水口９の下端に設置してある排水ホース１０を通過し、製品下端に設けられている水受けトレイ１１まで流れ落ちる。排水口９および排水ホース１０とモーター室、コントローラが設置されている機能部との間には物理的な壁２０が設けられてあり、排水口９および排水ホース１０から漏れた水滴があったとしても機能部に侵入することはない。
水受けトレイ１１には汚れた水が溜まることになるが、水受けトレイ１１は着脱可能な構造になっており、溜まった水を捨てることができ、また水滴で汚れた内部を水洗いによって清掃することができる。
【００２５】
次に、排水ホース１０のハウジング１に対する収納構成について図２に基いて説明する。ハウジング１の前後方向の中心線よりも前面寄りに開口部１４を覆うカバー１５が設けられている。排水ホース清掃時にはこのカバー１５を開けることによってそこに取り付けられた排水ホース１０が露出する。露出した排水ホース１０を排水ホース取り付け部材１６から取り外して水出し場へ持っていくことにより丸洗いすることができる。また取り出した排水ホースは端部からのぞき見ることができるので、汚れ度合いや清掃の効果を視認可能であり、異臭の原因となる清掃残しの汚れをなくすことができ異臭発生を防止することができる。
このとき、汚れた排水ホース１０を、予め準備しておいた清掃済みの排水ホースまたは新しい排水ホースと交換するようにすれば、清掃のために手乾燥装置を使用できない時間を短縮することが可能である。
また、排水ホース１０を透明材質で構成すれば、汚れの蓄積度合いや清掃の効果も視認可能となり定期的に排水ホース１０を取り出して汚れを確認することで、汚れが悪臭を放つ前に清掃することができる。
【００２６】
この、排水ホース１０のハウジング１に対する収納構成について更に詳しく説明する。
図４に、開口部・カバー部・排水ホースの取り付け部の拡大図を示す。本体内部排水ホース１０は取り付け部材１６によってカバー１５に着脱可能に取り付けられている。この取り付け部材１６は樹脂もしくは金具でＣ字状に成形したもので柔軟性を持たせており、露出した排水ホース１０をある程度の力で引っ張ることによって簡単に着脱することができる。また装着時も同様にＣ字状の隙間に排水ホース１０を押し付けることで取り付け部材１６に装着することができる。なおＣ字状の取り付け部材１６の内側、つまり排水ホース１０表面と接する面は摩擦の大きい素材でできたシート１６１が貼り付けられているため、排水ホース１０を適切な位置で固定することができる。
また、排水ホース１０は着脱の利便性からカバー１５寄りに設置していたほうが望ましい。このような位置に設置することで本体内部にファンモータ４、コントローラ１３などその他の部品を挿入するスペースを確保できる。
排水ホース１０はポリプロピレン、ポリエチレンなどの素材で一体成形されており、堅さを持ち、清掃性のため直線状に加工するのが望ましく、よって排水口９は必然的に開口部１４、及びカバー１５の設けられた面寄りに配置されることとなる。
なお、本実施形態では、意匠性を保つためカバー１５は本体側面に設けられており、カバー１５の形状はヒンジ１７による片開きの扉形状である。取っ手１８は本体正面側寄りに設けられているため、開閉がしやすく、開閉後の排水ホース１０の取り出しも容易である。
【００２７】
図５は排水ホースと排水口との接続部、および排水ホースと水受けトレイとの接続部の概略拡大図である。排水口９は手乾燥室３の底部に位置し、手乾燥室３の下方向に円筒状に突出している。また排水ホース１０の上端は排水口９の突出部９１に向けて、円錐状に拡径しており、排水口突出部の下端エッジから滴り落ちる水滴を漏れなく受け止め排水ホース１０に流すことができる。このとき、拡径している部分は必ずしも排水ホースと一体成形ではなくてもよく、漏斗のような円錐状の部品を排水ホース１０の上端に設置しても同じ効果が得られる。
水受けトレイ１１には蓋１１１が付いており、水受けトレイ１１からの悪臭を防いでいる。水受けトレイの蓋１１１には排水ホース１０に向かって上方向に円錐状に突出した部位が備わっており、排水ホース１０下端のエッジから滴り落ちる水滴を漏れなく受け止め、水滴を水受けトレイ１１に回収することができる。さらに、下方向に筒状に突出した排水口９の下端部は排水ホース１０の上端よりも上方に位置し、排水ホースの１０下端部は水受けトレイ１１の突出部の上端よりも上方に位置するため、本体開閉部１５の開閉によって排水ホース１０が引き出される方向に移動する際も干渉する部位がない。
【００２８】
ここで、排水ホース１０と排水口との接続部、および排水ホース１０と水受けトレイ１１との接続の変形例である実施形態２について説明する。図６は排水ホースと排水口との接続部、および排水ホースと水受けトレイとの接続部との概略拡大図である。その他の部位の構成及び動作は前述した実施形態と同様であるので、ここでの説明は省略する。実施形態２においては排水ホース１０の上端部はゴムで構成されている。このゴムで構成された部位の直径は排水口突出部９１の直径よりも大きい径か、もしくは大きくなるように排水口突出部９１に向かって円錐状に拡径している。また、水受けトレイの蓋１１１には排水ホース１０に向かって上方向に突出した部位が備わっている。突出した部位はゴムで成形されており、突出部の直径は排水ホース１０下端の直径より大きい円筒形で成形されるか、大きくなるように、排水ホース１０下端に向かって円錐状に成形されている。さらに、排水口突出部の９１下端エッジは排水ホース１０上端エッジよりも下方に位置し、水受けトレイ蓋１１１に設けられている突出部の上端エッジは排水ホース１０下端エッジよりも上方に位置しているため、排水口９から滴り落ちる水滴が排水ホース１０の外側に飛散し、内部の部品が被水することや、排水ホース１０から水受けトレイ１１へ滴り落ちる水滴が本体下部を濡らすことはない。カバー部１５を開けて排水ホース１０を露出する際には、排水ホース１０と、排水口突出部９１下端・水受けトレイ蓋１１１上端の突出部が干渉することになるが、干渉する部位の一方はゴムで成形されているため、排水ホース１０の露出が妨げられることはない。またこのような干渉においてある程度の負荷があることで、排水ホース１０の両端が確実に排水口９と水受けトレイ蓋１１１突出部に収まったことを確認することができる。
【００２９】
図７、８は実施形態３の排水口、排水ホース、本体開口部、カバー部、水受けトレイの概略構造図である。他部分の構成、空気の流れ、および手乾燥方法は上記で述べたものと同様であるので、説明は省略する。本実施形態では、本体側面上方に開口部１４を設けている。この開口部１４には着脱可能なカバー１５２が取り付けられており、自在に開閉を行うことができる。カバー部１５２の下辺にはヒンジ部１７２が設けられておりカバー部１５２の上辺にある取っ手１８２を引くことでカバー部１５２を上から下に開閉する。なお、この扉の開口面積は排水ホース１０上端が露出する４０ｍｍ程度でよい。排水ホース１０はカバー部１５２の裏側に取り付けられているので、排水ホース１０を取り外す際は、カバー部１５２を開くことで排水ホース１０が露出する。その後、排水ホース１０を排水ホース取り付け部材１６から取り外すことによって排水ホース１０を上から引き出すことができる。このときの取り付け部材１６は実施形態１で記述してあるものと同様である。排水ホース１０を取り付ける際にはカバー部１５２を開き、ハウジング側面内側に設けられている排水ホースガイド１９に排水ホース１０を挿入する。水受けトレイ蓋１１１には開口部１１２が設けられており、この開口部１１２より下方まで排水ホース１０下端を挿入したら排水ホース１０を取り付け部材１６に取り付け、扉を閉める。扉を閉めることで内部の排水ホース上端が排水口の突出部下端に設置される。このとき、排水ホース上端は排水口突出部下端よりも下方に位置する。また、排水ホース上端の径は排水口突出部の径より大きいため、排水口突出部から滴り落ちる水滴を漏れなく排水ホース１０に取り入れることができる。さらに、排水ホース１０はゴムホースのようにある程度の柔軟性を持たせた素材とすることで取り出しがスムーズになる。本実施形態では、排水ホース１６の取り出し口を小さくできることで意匠性を損なうことがない。
【００３０】
図９、１０は実施形態４の排水口、排水ホース、本体開口部、カバー部、水受けトレイの概略構造図である。他部分の構成、空気の流れ、および手乾燥方法は上記で述べたものと同様であるので、説明は省略する。本実施形態の側面に設けられた開口部１４にはシャッター型のカバー部１５３が取り付けられており、自在に開閉を行うことができる。カバー１５３の開閉はカバー下端の取っ手１８３を垂直方向に引き上げることによって行う。カバー１５３裏側には排水ホース１０下部が取り付けられておりカバー１５３を引き上げると排水ホース１０が露出する構造となっている。排水ホース１０の上端は排水口突出部９１下端にはめ込まれているが、排水ホース１０はゴムホースのような柔軟性のある素材で成形されているので、カバー１５３が開口した際にも排水ホース自身が湾曲することでスムーズにカバー１５３の開閉動作を行うことができる。露出した排水ホース１０は取り付け部１６から取り外し、排水ホース１０を引き抜くことによって排水ホース１０上端と排水口突出部９１との接続も外れ、本体内部から取り出すことができる。このときの取り付け部材１６は実施形態１で記述してあるものと同様である。排水ホース１０の取り付けの際は、カバー１５３を引き上げ開口し、排水ホース上端を排水口突出部９１に取り付ける。その後、排水ホース１０の下端を取り付け部１６に取り付ける。排水ホースを取り付け部１６に取り付け時には、排水ホース１０下端がカバー１５３の下端よりも５０ｍｍ程度下方になるため、カバー１５３を引き下げ開口部を完全に閉じた際に、排水ホースのはみ出し部が水受けトレイ蓋１１１に設けられたトレイ蓋穴１１２に差し込まれる事になる。なお、排水ホース１０の全長は開口部１４を完全に閉じた際に排水ホース１０が湾曲せず直線になるような長さに設定する。このような実施形態ではカバー部１５３が設けられている側面部とこの側面部側に設置してある別の製品、あるいは壁との隙間は、拳が入る程度保っておけばよい。
【００３１】
図１１は実施形態５における手乾燥装置の内部機構の概略構造図、図１２はその斜視図である。
本実施形態においては、取り付け部材１６が壁２０に設置されている点が異なっている。排水ホース取り付け部材１６が手乾燥装置本体側に設置されているため、カバー部１５を開くと、図１２で示すように排水ホース１０が本体側に露出する。
【００３２】
図１３は実施形態６における手乾燥装置の斜視図である。前述した実施形態では、開口部１４、及びカバー部１５がハウジング１の側面であって、その前後方向の中心線よりも前面寄りに設置されている形態を示してきたが、この図１３に示すように開口部１４、及びカバー部１５はハウジング１の前面に配置してもよい。この場合、装置の側面側にカバーを開閉するスペースは必要なく、また、前面からのアプローチのみで作業できるため、排水ホースの取り出しがより楽になる。
【００３３】
上記の各実施の形態において、排水ホースが製品内部に取り付けられているときにしか製品が駆動しないようにセンサが設けることにより、排水ホースの取り付け忘れを防止する構造をとっても良い。
【００３４】
以上、本発明の実施形態を通して説明してきたが、本発明は上述の実施形態に限定されるものではなく、本発明の技術思想から逸脱しない範囲で適宜設計変更などしてもよい。
【符号の説明】
【００３５】
１…            ハウジング
２…            手
３…            手乾燥室
４…            ファンモータ
５…            排気路
５a…            掌側ノズル
５ｂ…            手の甲側ノズル
６…            吸気口
７…            吸気路
８…            フィルタ
９…            排水口
９１…            排水口突出部
１０…            排水ホース
１１…            水受けトレイ
１１１…          水受けトレイ蓋
１１２…          水受けトレイ蓋開口部
１２…            センサ
１３…            コントローラ
１４…            開口部
１５，１５２，１５３…    カバー部
１６…            排水ホース取り付け部材
１６１…          シート
１７，１７２…        ヒンジ
１８，１８２，１８３…    取っ手
１９…            排水ホースガイド
２０…            壁
【図１】
2010253149.tif 000003
【図２】
2010253149.tif 000004
【図３】
2010253149.tif 000005
【図４】
2010253149.tif 000006
【図５】
2010253149.tif 000007
【図６】
2010253149.tif 000008
【図７】
2010253149.tif 000009
【図８】
2010253149.tif 000010
【図９】
2010253149.tif 000011
【図１０】
2010253149.tif 000012
【図１１】
2010253149.tif 000013
【図１２】
2010253149.tif 000014
【図１３】
2010253149.tif 000015
【図１４】
2010253149.tif 000016